(57)【特許請求の範囲】
【請求項１】
光ピックアップと、筐体本体と、該筐体本体を挟む上カバー及び下カバーと、前記筐体本体の内部から前方に光ディスクを移送するディスク移送部材と、前記筐体本体に対して前記下カバー側に配置されるとともに、前記光ディスクを回転させるディスク回転モータと、
前記ディスク回転モータと、前記光ピックアップを含んで、前記筐体本体に固定されるユニットメカと、
前記ディスク回転モータを前記ユニットメカに固定するとともに、通風路を設けられた固定部と、
前記光ディスクと前記上カバーとの間の空間に一端が設けられ他端が前記ディスク回転モータの固定部の前記通風路に接続される管と、を有し、
回転する前記光ディスクの上面側はその中央部の圧力が負圧となり、前記管により、前記ディスク回転モータの固定部の前記通風路側から、負圧となった前記光ディスクの上面側に向かって空気の流れが誘起されることを特徴とする光ディスク装置。
【請求項２】
請求項１記載の光ディスク装置において、
前記上カバーは前記筐体本体側に凹んでその底面に開口部を有する凹部を有し、前記開口部を通して前記光ディスクに接続して共に回転するクランプと、前記凹部の蓋をするクランプカバーとを備え、
前記管の前記一端を、前記凹部内であって前記クランプカバーと前記クランプとで囲まれて形成される空間に設けることを特徴とする光ディスク装置。
【発明の詳細な説明】
【技術分野】
【０００１】
本発明は、光学的に情報を記録する記録媒体に情報を記録する、または記録媒体に記録された情報を読み出す光ディスク装置に係る。
【背景技術】
【０００２】
光ディスク装置のデータ転送速度の高速化に伴い、高速回転化による光ディスクの振動の増加や、光ディスクを回転させるモータ及びレーザ光源の出力増加による発熱の増加が課題となっている。
【０００３】
データ転送の高速化に伴う課題の解決を図った光ディスク装置は、例えば特開２００４−２４１０２４号公報（以下、特許文献１と称す）に記載されている。特許文献１に記載の発明では、上カバーに開口部を設けて、光ディスク回転時にディスク上面に生じる負圧を利用して、外気を筐体内部に導入して冷却を行う構成となっている。
【０００４】
【特許文献１】特開２００４−２４１０２４号公報
【発明の開示】
【発明が解決しようとする課題】
【０００５】
光ディスク装置はデータ転送速度の向上が年々進んでおり、それに伴ってレーザ光源の出力が増加する傾向にある。そのため、光ピックアップの温度上昇をさらに抑えることや、ディスク回転モータが出す熱について筐体外への放熱を促進することが必要となってきている。
【０００６】
また前記の特許文献１の構造では、光ディスクの回転に伴って発生する騒音が開口部から外部に伝播するため、この騒音を小さくしたいという課題がある。
【０００７】
そこで、本発明では、騒音の増加を伴わず、光ピックアップの放熱を大きくし、ディスク回転モータが出す熱について筐体外への放熱を促進する光ディスク装置を提供することを目的とする。
【課題を解決するための手段】
【０００８】
上記目的は、光ピックアップと、筐体本体と、該筐体本体を挟む上カバー及び下カバーと、前記筐体本体の内部から前方に光ディスクを移送するディスク移送部材と、前記筐体本体に対して前記下カバー側に配置されるとともに、前記光ディスクを回転させるディスク回転モータと、前記ディスク回転モータと、前記光ピックアップを含んで、前記筐体本体に固定されるユニットメカと、前記ディスク回転モータを前記ユニットメカに固定するとともに、通風路を設けられた固定部と、前記光ディスクと前記上カバーとの間の空間に一端が設けられ他端が前記ディスク回転モータの固定部の前記通風路に接続される管と、を有し、回転する前記光ディスクの上面側はその中央部の圧力が負圧となり、前記管により、前記ディスク回転モータの固定部の前記通風路側から、負圧となった前記光ディスクの上面側に向かって空気の流れが誘起されることにより達成される。
【発明の効果】
【０００９】
本発明によれば、光ディスク回転時に光ディスクと上カバー間に形成される負圧による圧力差から、管に生じる流れに乗って、光ピックアップやディスク回転モータから直接熱を輸送することができる。さらに管を上カバーに接合すれば、輸送した熱を、上カバーを介して光ディスク装置外部に排出できる。管は一部に変形可能な材料でできたフレキシブルチューブを使用すれば、情報の記録・再生時における光ピックアップの移動や、光ディスク出し入れ時におけるディスク回転モータの移動にも対応可能となる。
【発明を実施するための最良の形態】
【００１０】
以下、本発明の実施例を、図面を用いて説明する。
【実施例１】
【００１１】
図１〜図９は本発明の第一の実施例の説明図である。図１は本発明の第一の実施例としての光ディスク装置の要部分解図である。図２は図１中のＡ−Ａ断面である。図３は図１中のＢ−Ｂ断面である。図４は図１の装置の駆動状態を示した図である。図５は図１中のＣ−Ｃ断面である。図６，図７は光ピックアップ内部通風路の構造例である。図８はディスク回転モータ固定部通風路の構造例である。図９は光ピックアップ部に管を実装した構造例である。
【００１２】
図１〜図９において、１は光ディスク、２は光ディスク１を移送するディスク移送部材であり、２ａはディスク移送部材２の貫通部、３は光ディスク１を回転駆動するディスク回転モータ、４は光ピックアップ、５は光ピックアップ４とディスク回転モータ３を含むユニットメカ、６は筐体本体、７は制御基板、８は光ピックアップ４と制御基板７を結ぶケーブル、９は上カバー、９ａは開口部を有する上カバー９の凹部、１０は下カバー、
１１ａ，１１ｂは光ピックアップ４に内蔵されたレーザダイオード、１２は光ピックアップ４内部に設けられた通風路、１２ａは通風路１２の入口、１２ｂは通風路１２の出口、１３は変形可能な管、１３ａは管１３の入口、１３ｂは管１３の出口、１４は固定された管、１４ａは管１４の入口、１４ｂは管１４の出口、１５は筐体本体６に設けた貫通部または切欠部、１６は上カバー９の凹部９ａに収納されたクランプ、１７はクランプカバー、１８は底面に開口を有する上カバー凹部９ａ内であってクランプ１６とクランプカバー１７とで囲まれて形成される空間、１９は通風路１２中に設けた柱状構造体、２０は光ディスク１の上方の上カバー９対向面に光ディスク１側に突出するように設けられる窪み、２１はラベルシール、２２はディスク回転モータ固定部２９に設けられたディスク回転モータ固定部通風路、２２ａはディスク回転モータ固定部通風路２２の入口、２２ｂはディスク回転モータ固定部通風路２２の出口、２３は変形可能な管、２３ａは管２３の入口、２３ｂは管２３の出口、２４は固定された管、２４ａは管２４の入口、２４ｂは管２４の出口、２５は筐体本体６に設けた貫通部または切欠部、２６はディスク回転モータ３のコイル、２７はディスク回転モータ３のシャフト、２８はディスク回転モータ３のロータ、２９はディスク回転モータ３をユニットメカ５に固定する固定部、３０はディスク回転モータ固定部通風路に設けた柱状構造体、３１は上カバー９と筐体本体６側面との間に形成される空間、３２は光ディスク１上面と上カバー９との間に形成される空間である。以下同一機能のものには同一符号を記して説明を省略する。
【００１３】
光ディスク装置は、図１左側のディスク移送部材２がディスク装置本体の外側にスライドして出ている面が前面にあたり、通常この面を前側にしてＰＣ（Personal Computer）等の情報処理装置に内蔵または外付けで取り付けられる。以下、説明の都合上、ディスク移送部材２に対して光ディスク１が載っている方向を上として、上下方向を定義する。光ディスク装置が記録または再生を行う光ディスク１としては、ＣＤ（Compact Disc），
ＣＤ−Ｒ（Recordable），CD-RW(ReWritable)，ＤＶＤ（Digital Versatile Disc），
ＤＶＤ−Ｒ，ＤＶＤ−ＲＡＭ（Random Access Memory），ＤＶＤ−ＲＷ、等があり、カートリッジを用いずに光ディスク装置内に挿入する。ディスク移送部材２に光ディスク１を載置した状態で、イジェクトボタン（図示せず）を押す等の操作により、ディスク移送部材２が光ディスク装置の筐体内にスライドして移動し、光ディスク１が装置内部に導入される。このとき光ピックアップ４とディスク回転モータ３を含むユニットメカ５が上方向に傾斜移動し、ディスク回転モータ３が光ディスク１の内周と係合する。さらに上カバー９の底面に開口を有する凹部９ａとクランプカバー１７との間の空間１８に収納されているクランプ１６が、ディスク回転モータ３上部に内蔵された磁石の作用によって、凹部
９ａの開口部を通してディスク回転モータ３と係合し、光ディスク１を上下から挟んで固定する。ディスク回転モータ３によって光ディスク１が右回りに回転すると、ディスク回転モータ３と係合したクランプ１６も回転する。ディスク回転モータ３は固定部２９に固定され、固定部２９はユニットメカ５の前側に固定される。ユニットメカ５は傾斜移動可能な構造で筐体本体６に固定されている。
【００１４】
ユニットメカ５に支持される光ピックアップ４は光ディスク装置の前後方向、すなわち光ディスク１の径方向に移動可能であり、制御基板７からの操作信号によりディスク径方向に移動して、レーザを光ディスク１下面の記録面の所望位置に照射して、情報を記録または再生する。
【００１５】
図１に示す光ピックアップは、レーザダイオード１１ａ，１１ｂを有している。ＣＤの記録・再生を行うＣＤ用のレーザの波長は７８５ｎｍ、ＤＶＤ用のレーザの波長は６６０ｎｍと異なっており、本実施例のようにＤＶＤ及びＣＤの両方の記録・再生に対応した光ディスク装置は、二つのレーザダイオードを有することとなる。ただし青紫レーザ（波長４０５ｎｍ）を使用する例えばBlu−ray等では、もう一つレーザダイオードを光ピックアップ４に実装するため、レーザダイオードの数は２個に限定するものではなく、１個でも３個以上でも対応可能であるものとする。
【００１６】
上記の構成において、図１のＢ−Ｂ断面である図３に示すように、光ディスク装置が記録または再生動作を行うとき、光ディスク１の回転によって光ディスク１の周囲の空気には剪断力・遠心力等が発生し、空気の流れが形成される。光ディスク１の下面では、ディスク回転モータ３周りの貫通部２ａを経てディスク移送部材２の下側から空気が吸引され、光ディスク１の回転による遠心力により光ディスク１とディスク移送部材２間を内周から外周へ向けて空気が流れる。その一部はディスク移送部材２から外へ流出し、一部は光ディスク１の上面側に巻き上がって内周側に流れ込む。
【００１７】
一方、光ディスク１上面近傍では、光ディスク１の回転による遠心力により光ディスク１の内周から外周に向けて空気が流れ、その一部は光ディスク１の上面から外へ流出する。光ディスク１の下面側とは違い貫通部２ａのような回転中心側からの流入路が無いため、光ディスク１上面では中央側の圧力が低下する圧力分布が形成される。このため上カバー９側で光ディスク１の外周から内周へと空気が戻って循環する流れが形成され、上述したように光ディスク１外周端で光ディスク１下面から上面側に向けて巻き上がる流れが生じる。
【００１８】
クランプ１６は上カバー９の底面に開口を有する凹部９ａとクランプカバー１７で蓋をされた空間１８で光ディスク１とともに回転するために、クランプ１６の周囲は光ディスク１上面において特に圧力が低下し、例えば回転数が毎分９０００回転時において、光ディスク１上面圧力が−４０Ｐａ程度であるのに対し、空間１８では圧力が−８０Ｐａ程度となる。
【００１９】
ここで、図１に示すように、光ピックアップ４内部に通風路１２を設け、通風路出口
１２ｂと、光ディスク１上面と上カバー９の間の空間３２とを管１３，１４で接続すると、光ピックアップ内部通風路１２の入口１２ａに対して管１４の出口１４ｂが負圧になるため、光ピックアップ４側から光ディスク１上面側に向かって流れが誘起される。
【００２０】
光ディスク１内の情報を記録または再生するときには、光ピックアップ４内のレーザダイオード１１ａ，１１ｂが発光して生じたレーザを光ディスク１に照射するが、その際発光によりレーザダイオード１１ａ，１１ｂ自身が発熱し、温度が上昇する。レーザダイオード１１ａ，１１ｂの熱は、光ピックアップ４を通じて放熱することで、レーザダイオード１１ａ，１１ｂの劣化のおそれがない程度の温度に保たれる。通常の光ディスク装置では、光ディスク１の回転に伴って誘起された筐体本体６内の流れが光ピックアップ４表面を通過する際の対流熱伝達によって、光ピックアップ４は主に冷却されているが、上記の構成により本発明では、さらに内部からも光ピックアップ４、及びレーザダイオード11ａ，１１ｂを冷却することができる。
【００２１】
ここで管１３は例えばビニールチューブのような変形可能なフレキシブルチューブで構成されているものとする。図４は光ピックアップ４の光ディスク１の径方向移動を示した図であり、実線が光ディスク１の最内周部に位置した状態を示し、破線が最外周部に位置した状態を示している。管１３は変形可能であるから、光ピックアップ４が前後方向に移動する場合にも、管１３が変形することで光ピックアップ４の移動をスムーズに行うことができる。
【００２２】
図５は光ディスク１の出し入れ時で、光ピックアップ４とディスク回転モータ３を含むユニットメカ５が下方向に傾斜移動し、ディスク移送部材２が前方向に移動した状態を示した図である。管１３は変形可能であるから、光ディスク１の出し入れ時に、光ピックアップ４が上下方向に移動する場合にも、管１３が変形することで光ピックアップ４の移動をスムーズに行うことができる。
【００２３】
さらに図１に示すように管１４を銅管やアルミ管等のような熱伝導率が高い材質の管で構成し、上カバー９に直接接触接合する構成とすることで、光ピックアップ４から奪った熱を管１４通過中に、上カバー９に熱伝導で伝熱し、上カバー９の外側表面から、光ディスク装置外部に排出することができる。
【００２４】
光ピックアップ４から吸気された流れは、管１４の出口１４ｂから光ディスク１上面部に排気されるため、負圧域となっている光ディスク１上面の圧力は幾分上昇し、光ディスク１の上下面圧力差が低減することから、ディスク回転モータ３の軸方向上側に向かって作用するスラスト荷重が低減するとともに、光ディスク１の振動が低減する効果が得られる。
【００２５】
図１において、変形可能な管１３は筐体本体６の側面に設けた貫通部または切欠部１５を介して、上カバー９側面と筐体本体６外部側面との間に形成される空間３１に導かれた上で固定側の管１４に接続されるため、光ピックアップ４の移動に伴って管１３が変形・移動する際の配管の遊び代が空間３１内に収納されることになり、ディスク移送部材２のような周囲の可動部品との接触・干渉を防止することができる。さらに図４に示すように、光ピックアップの通風路１２が管１３に接続する接続口（通風路１２の出口１２ｂ）は、光ピックアップ４の移動方向と概略直交する方向に設けられている。光ピックアップ４の移動方向と、管１３と光ピックアップ４との接続方向とが、概略直交しているため、光ピックアップ４の移動時に管１３が引き抜かれるように作用する力を大幅に軽減することができる。
【００２６】
図６に光ピックアップ内部通風路１２の具体的な構造例を示す。図６は図１に示す光ディスク装置の光ピックアップ４を示した要部分割斜視図である。光ピックアップ内部通風路１２をレーザダイオード１１ａ，１１ｂよりも上側の光ピックアップ４の上部に設ける。光ピックアップ内部通風路１２には複数の柱状構造体１９を設けてもよい。レーザダイオード１１ａ，１１ｂ等の発熱部品から発生した熱は光ピックアップ４中を熱伝導により光ピックアップ内部通風路１２表面まで伝わり、対流熱伝達によって通風路１２内の流れに移動し、光ピックアップ４は冷却される。もちろん直接光ピックアップ４表面まで熱伝導で伝わり、光ピックアップ４周囲の流れによって対流熱伝達で放熱される経路もある。光ピックアップ内部通風路１２に柱状構造体１９を設置した場合、伝熱面積が増加し、光ピックアップ４からの放熱量を高めることが可能となる。柱状構造体１９の形状は図６では角柱状のものを示しているが、円柱状であっても薄いフィン状等の形状であってもよいものとする。
【００２７】
さらに光ピックアップ内部通風路出口１２ｂを光ピックアップ４内でレーザダイオード１１ｂが配置されている側に設け、入口１２ａを対向方向に設けることで、光ピックアップ４内での熱伝導による伝熱特性から、光ピックアップ内部通風路１２の表面温度が入口側から出口側に向かって温度が高くなる温度分布となる。一方で光ピックアップ内部通風路の入口１２ａから流入した流れは出口１２ｂに向かって加熱されるため、出口１２ｂ方向に空気温度が高くなる温度分布となる。したがって上記の入口１２ａ，出口１２ｂの配置によれば光ピックアップ内部通風路１２での対数平均温度差を大きくすることができ、光ピックアップ４からの放熱量を大きくすることが可能となる。
【００２８】
図７は光ピックアップ内部通風路１２の別の構造例であり、図７は図１に示す光ディスク装置の光ピックアップ４を後方斜め下側方向から示した要部分割図である。この構造例では、光ピックアップ内部通風路１２を、レーザダイオード１１ａ，１１ｂより下側の光ピックアップ４の下部に設けている。レーザダイオード１１ａ，１１ｂ等の発熱部品から発生した熱は光ピックアップ４中を熱伝導により下方向に光ピックアップ内部通風路１２表面まで伝わり、対流熱伝達によって通風路１２内の流れに移動し、光ピックアップ４は冷却される。一方、光ピックアップ４の上方向にも光ピックアップ４表面まで熱伝導で伝わる。光ピックアップ４の上面には光ディスク１の回転に伴って生じる比較的高速の流れが通過するため、対流熱伝達率が高くなり上述の構造よりも放熱量が増加する利点がある。さらに光ピックアップ内部通風路１２が実装される光ピックアップ４の下部は、周囲の風速が小さく放熱促進が難しい箇所であったため、光ピックアップ内部通風路１２の設置により、レーザダイオード１１ａ，１１ｂを上下両面から有効に冷却することが可能になる。
【００２９】
次にディスク回転モータ３の冷却構造について示す。図１に示すように、ユニットメカ５に設置されるディスク回転モータ３の固定部２９に通風路２２を設け、通風路出口２２ｂと、光ディスク１上面と上カバー９の間の空間３２とを管２３，２４で接続すると、ディスク回転モータ固定部通風路２２の入口２２ａに対して、管２４の出口２４ｂが負圧になるため、ディスク回転モータの固定部２９側から光ディスク１上面側に向かって流れが誘起される。
【００３０】
光ディスク１内の記録または再生を高倍速で行うときには、光ディスク１を高速に回転させるが、この際に図３に示すディスク回転モータ３内部のコイル２６等から発熱する。この発熱はレーザダイオード１１ａ，１１ｂの発熱に対して数十倍程度大きくなる場合もあり、光ディスク装置全体の発熱量の大部分を占めている。コイル２６の発熱はシャフト２７を介して熱伝導により固定部２９に伝わる。従来の光ディスク装置ではコイル２６表面や固定部２９表面などから対流熱伝達により、光ディスク装置内部に熱が放散されていたが、本発明では図３に示すように固定部２９の下側に通風路２２を設けることで、通風路２２に生じる流れによりディスク回転モータ３から直接熱を取り出すことができる。
【００３１】
ここで上記した光ピックアップ４の場合と同様に、管２３は例えばビニールチューブのような変形可能なフレキシブルチューブで構成されているものとする。図５は光ディスク１の出し入れ時で、光ピックアップ４とディスク回転モータ３を含むユニットメカ５が下方向に傾斜移動し、ディスク移送部材２が前方向に移動した状態を示した図である。管
２３は変形可能であるから、光ディスク１の出し入れ時に、ディスク回転モータ３が上下方向に移動する場合にも、管２３が変形することで移動の障害となることはない。
【００３２】
また管２４を銅管やアルミ管等のような熱伝導率が高い材質の管で構成し、上カバー９に直接接触接合する構成とすることで、ディスク回転モータ固定部２９から奪った熱を管２４通過中に、上カバー９に熱伝導で伝熱し、上カバー９の外側表面から、光ディスク装置外部に効果的に排出することができる。
【００３３】
ディスク回転モータ固定部２９から吸気された流れは、管２４の出口２４ｂから光ディスク１上面部に排気されるため、負圧域となっている光ディスク１上面の圧力は幾分上昇し、光ディスク１の上下面圧力差が低減することから、ディスク回転モータ３の軸方向上側に向かって作用するスラスト荷重が低減するとともに、光ディスク１の振動が低減する効果が得られる。
【００３４】
図１において、変形可能な管２３は筐体本体６の側面に設けた貫通部または切欠部２５を介して、上カバー９側面と筐体本体６の外部側面との間に形成される空間３１に導かれた上で固定された管２４に接続されるため、ディスク回転モータ３の移動に伴って管２３が変形・移動する際の管２３の遊び代が空間３１内に収納されることになり、ディスク移送部材２のような周囲の可動部品との接触・干渉を防止することができる。
【００３５】
図８にディスク回転モータ固定部通風路２２の具体的な構造例を示す。図８は図１に示す光ディスク装置のディスク回転モータ固定部通風路を示した要部分割斜視図である。ディスク回転モータ固定部通風路２２を固定部２９の下部に設ける。通風路２２には複数の柱状構造体３０を設置してもよい。コイル２６等から発生した熱はシャフト２７中を熱伝導によりディスク回転モータ固定部通風路２２表面まで伝わり、対流熱伝達によって通風路２２内の流れに移動し、ディスク回転モータ３は冷却される。もちろん直接コイル２６表面から周囲の流れによって対流熱伝達で光ディスク装置内部に放熱される経路もある。
【００３６】
ディスク回転モータ固定部通風路２２に柱状構造体３０を設置することで、伝熱面積を増加し、ディスク回転モータ部３からの放熱量を高めることが可能となる。柱状構造体
３０の形状は図８では角柱状のものを示しているが、円柱状であっても薄いフィン状等の形状であってもよいものとする。
【００３７】
尚、図１では光ピックアップ４とディスク回転モータ３に管１３，２３等を同時に実装した構造例を示しているが、本発明は両者を同時に実装することを限定するわけではなく、例えば図９に示すように、光ピックアップ４だけに管１３，１４を実装する構造としても良いし、ディスク回転モータ固定部２９だけに管２３，２４を実装する構造(図示せず)としても良いものとする。これは以下に示す他の実施例でも同様とする。
【実施例２】
【００３８】
図１０は本発明の第二の実施例の説明図であり、図１のＢ−Ｂ断面と同じ位置での断面図を示している。
【００３９】
本発明の第二の実施例では図１０に示すように、光ピックアップ４から導かれた管１４の出口１４ｂを、上カバー凹部９ａ内であって、クランプカバー１７とクランプ１６とで囲まれた空間１８に管１４の一端を接続する構造とする。空間１８は光ディスク１の回転時に最も圧力が低下する箇所であり、管１３，１４の出入口間の差圧が大きくなることから、通過風量が増加し光ピックアップ４の放熱特性を向上することができる。
【００４０】
凹部９ａは、上カバー９が筐体本体６側に凹んでその底面に開口部を有するものである。クランプ１６は、その開口部を通して光ディスク１に接続して共に回転する。クランプカバー１７は、凹部９ａの蓋をする。
【００４１】
また本発明の第二の実施例では、図示しないがディスク回転モータ３から導かれた管
２４の出口２４ｂを、前記した光ピックアップ４の場合と同様に、クランプカバー１７と上カバー凹部９ａ内であって、クランプカバー１７とクランプ１６とで囲まれた空間１８に接続する構造としてもよい。この構成によってディスク回転モータ３についても前記した光ピックアップ４についての効果と同様の放熱促進効果を得ることができる。
【実施例３】
【００４２】
図１１は本発明の第三の実施例の説明図である。
【００４３】
本発明の第三の実施例では、光ピックアップ４から導かれる管１４について、図１１に示すように上カバー９を通風路の一部として用いる構成とする。この構造によれば、管
１４の一部が直接筐体外と接触する構造となるため、熱通過率が増加し、管１４を流れが通過する際に光ディスク装置外に排出される熱が増加する利点がある。
【００４４】
また本発明の第三の実施例では、ディスク回転モータ３から導かれる管２４について、上カバー９を通風路の一部として用いる構成としてもよい。この構成によってディスク回転モータ３についても前記した光ピックアップ４についての効果と同様の効果を得ることができる。
【実施例４】
【００４５】
図１２は本発明の第四の実施例の説明図である。
【００４６】
本発明の第四の実施例では、光ピックアップ４から導かれる管１４を図１２に示すように、上カバー９とクランプカバー１７の延長体とで挟まれる空間として構成する。上カバー９には光ディスク１の回転振動を抑制するために、光ディスク１方向に突起状の窪み
２０を設けることが多いが、この窪み２０を光ディスク１の径方向に延長し、さらにクランプカバー１７を窪み２０に沿って延長して蓋をする構成とすれば管１４を構成することができる。
【００４７】
さらに上カバー９とクランプカバー１７との接合面の少なくとも一部に、光ディスク装置の型式，仕様等を記したラベルシール２１を貼ることで、パーソナルコンピュータ等への実装時に、大型化のため上カバー９との接合長が長くなったクランプカバー１７が万一剥がれることを防止でき、管１４の気密性の保証を増すことができる。さらに有機化合物であるラベルシール２１は塗装を施していない金属よりも放射率が高いため、ラベルシール２１の貼付けにより、光ディスク装置外部への放射伝熱が促進され、管１４からの放熱量を増加することができる。
【００４８】
また本発明の第四の実施例では、ディスク回転モータ３から導かれる管２４について、上カバー９とクランプカバー１７の延長体とで挟まれる空間として構成し、さらに上カバー９とクランプカバー１７との接合面の少なくとも一部に、光ディスク装置の型式，仕様等を記したラベルシール２１を貼る構成としても良い。この構成によってディスク回転モータ３についても前記した光ピックアップ４についての効果と同様の放熱促進効果を得ることができる。
【００４９】
尚、図１２では光ピックアップ４とディスク回転モータ３に管１３，２３等を同時に実装した構造例を示しているが、本発明は両者を同時に実装することを限定するわけではなく、例えば図１３に示すように、光ピックアップ４だけから導かれる管１３，１４を実装する構造としても良いし、ディスク回転モータ固定部２９だけから導かれる管２３，２４を実装する構造（図示せず）としても良いものとする。
【図面の簡単な説明】
【００５０】
【図１】本発明の光ディスク装置の実施例を示す図である。
【図２】本発明の光ディスク装置の実施例を示す図である。
【図３】本発明の光ディスク装置の実施例を示す図である。
【図４】本発明の光ディスク装置の実施例を示す図である。
【図５】本発明の光ディスク装置の実施例を示す図である。
【図６】本発明の光ディスク装置の実施例を示す図である。
【図７】本発明の光ディスク装置の実施例を示す図である。
【図８】本発明の光ディスク装置の実施例を示す図である。
【図９】本発明の光ディスク装置の実施例を示す図である。
【図１０】本発明の光ディスク装置の他の実施例を示す図である。
【図１１】本発明の光ディスク装置の他の実施例を示す図である。
【図１２】本発明の光ディスク装置の他の実施例を示す図である。
【図１３】本発明の光ディスク装置の他の実施例を示す図である。
【符号の説明】
【００５１】
１…光ディスク、２…ディスク移送部材、２ａ…ディスク移送部材２の貫通部、３…ディスク回転モータ、４…光ピックアップ、５…ユニットメカ、６…筐体本体、７…制御基板、８…ケーブル、９…上カバー、９ａ…上カバー９の凹部、１０…下カバー、１１ａ，１１ｂ…レーザダイオード、１２…光ピックアップ内部通風路、１２ａ…通風路１２の入口、１２ｂ…通風路１２の出口、１３…変形可能な管、１３ａ…管１３の入口、１３ｂ…管１３の出口、１４…管の固定部、１４ａ…管１４の入口、１４ｂ…管１４の出口、１５…筐体本体６に設けられた貫通部または切欠部、１６…クランプ、１７…クランプカバー、１８…凹部９ａとクランプカバー１７との間の空間、１９…柱状構造体、２０…上カバー９の窪み、２１…ラベルシール、２２…ディスク回転モータ固定部通風路、２３…変形可能な管、２３ａ…管２３入口、２３ｂ…管２３出口、２４…固定された管、２４ａ…管２４入口、２４ｂ…管２４出口、２５…筐体本体６に設けられた貫通部または切欠部、
２６…ディスク回転モータ３のコイル、２７…ディスク回転モータ３のシャフト、２８…ディスク回転モータのロータ、２９…ディスク回転モータの固定部、３０…柱状構造体、３１…上カバー９と筐体本体６側面との間に形成される空間、３２…光ディスク１上面と上カバー９との間に形成される空間。
【図１】
0004769125.tif 000002
【図２】
0004769125.tif 000003
【図３】
0004769125.tif 000004
【図４】
0004769125.tif 000005
【図５】
0004769125.tif 000006
【図６】
0004769125.tif 000007
【図７】
0004769125.tif 000008
【図８】
0004769125.tif 000009
【図９】
0004769125.tif 000010
【図１０】
0004769125.tif 000011
【図１１】
0004769125.tif 000012
【図１２】
0004769125.tif 000013
【図１３】
0004769125.tif 000014